(57)【要約】【課題】商品の包装や収納をする包装箱などを収納箱などに簡易に箱詰めすることができる箱詰め装置を提供する。【解決手段】厚紙などよりなる平板状の被搬送物１１を搬送するための傾斜部材１３と、傾斜部材１３を長さ方向に移動可能に支持する支持部材１４と、斜め方向に上下することにより、支持部材１４を支点として傾斜部材１３の傾きを変えつつ、傾斜部材１３を長さ方向に移動させる移動部材１５とを備える。移動部材１５の先端部を斜め上方に上げると、傾斜部材１３は支持部材１４を支点として傾斜角度が大きくなるように弓なり状に上方に移動する。【選択図】図１
2010280405.tif 000002
【特許請求の範囲】
【請求項１】
略平板状の被搬送物を収納箱に収納するための箱詰め装置であって、
被搬送物を搬送するための傾斜部材と、
この傾斜部材を長さ方向に移動可能に支持する支持部材と、
前記傾斜部材に接合され、斜め方向に上下することにより、前記支持部材を支点として前記傾斜部材の傾きを変えつつ、前記傾斜部材を長さ方向に移動させる移動部材と
を備えたことを特徴とする箱詰め装置。
【請求項２】
前記支持部材は、上下方向に移動可能であり、付勢部材により上方に付勢されていることを特徴とする請求項１記載の箱詰め装置。
【請求項３】
前記傾斜部材の側面の少なくとも一部を覆うことが可能であり、前記傾斜部材の側面に沿って移動可能な仕切板を備えたことを特徴とする請求項１または請求項２に記載の箱詰め装置。
【請求項４】
前記支持部材が下方に移動することを停止する停止部材を備えたことを特徴とする請求項１から請求項３のいずれか１に記載の箱詰め装置。
【発明の詳細な説明】
【技術分野】
【０００１】
本発明は、搬送された被搬送物を箱詰めする装置に関する。
【背景技術】
【０００２】
商品を包装・収納する包装箱は、例えば、所定の形状を有する平面状の厚紙などを組み立てることにより形成される。このような包装箱は、例えば、厚紙の表面にデザインを印刷し、所定の型でくり抜き、平板状に折り畳んでのりづけなどをして、少しずつずらして重ねられ、コンベヤーにより順次搬送される。
【０００３】
その後、この包装箱は、例えば、所定の装置により立てられて順次搬送され、作業員が所定の数を数えて束とし、束の両側を手で押さえつけて持ち上げ、段ボールなどの収納箱などに収納する。
【先行技術文献】
【特許文献】
【０００４】
【特許文献１】特開２００８−６８８９５号公報
【発明の概要】
【発明が解決しようとする課題】
【０００５】
しかしながら、このように束の両側を手で押さえつけて収納する場合には、作業員の力加減により、押さえつける力が弱いと束が崩れやすく、逆に、押さえつける力を強くして勢いよく収納箱に収納すると、包装箱に傷がついてしまう場合があり、作業が難しいという問題もあった。特に、表面が滑らかな包装箱の場合は、この問題が顕著であり、改善が求められていた。
【０００６】
本発明は、このような問題に基づきなされたものであり、商品の包装や収納をする包装箱などを収納箱などに簡易に箱詰めすることができる箱詰め装置を提供することを目的とする。
【０００７】
なお、特許文献１には、平面視矩形の薄形の物品を箱詰めする装置として、コンベヤーの終端部下方に収納箱を配置し、コンベアの終端部から送り出されてくる物品を減速させたのち、表裏反転させて落下させることにより、収納箱内に物品を積層して収納するものが記載されているが、本発明とは、構成や機能などが異なっている。
【課題を解決するための手段】
【０００８】
本発明の箱詰め装置は、略平板状の被搬送物を収納箱に収納するためのものであって、被搬送物を搬送するための傾斜部材と、この傾斜部材を長さ方向に移動可能に支持する支持部材と、傾斜部材に接合され、斜め方向に上下することにより、支持部材を支点として傾斜部材の傾きを変えつつ、傾斜部材を長さ方向に移動させる移動部材とを備えたものである。
【０００９】
この箱詰め装置では、例えば、まず、移動部材を斜め下方に下げ、傾斜部材を収納箱に向かって傾斜させて先端側を収納箱に挿入し、被搬送物を傾斜部材に沿って収納箱に向かい斜めに搬送する。次いで、例えば、移動部材を斜め上方に上げ、支持部材を支点として傾斜部材の傾きを変えつつ傾斜部材を長さ方向に移動させ、被搬送物を収納箱の中に滑らせながら先端側を収納箱から引き抜く。これにより、被搬送物が収納箱に収納される。
【発明の効果】
【００１０】
本発明の箱詰め装置によれば、傾斜部材が移動部材により支持部材を支点として傾きを変えつつ長さ方向に移動可能としたので、移動部材を斜め下方に下げて傾斜部材の先端側を収納箱に挿入することにより、被搬送物を傾斜部材に沿って容易に収納箱に搬送することができる。また、移動部材を斜め上方に上げて傾斜部材の傾きを変えながら先端側を収納箱から引き抜くことにより、被搬送物を滑らせて収納箱に容易に収納することができる。よって、商品の包装や収納をする包装箱などを傷つけることなく簡易に箱詰めすることができる。
【００１１】
また、傾斜部材を付勢部材により上方に付勢するようにすれば、傾斜部材の先端側を上方に持ち上げることができ、傾斜部材を収納箱に挿入する際に、先端側を収納箱の底部から浮かせた状態で移動させることができる。よって、収納箱の底部に組立による段差があっても、傾斜部材を収納箱に容易に挿入することができる。
【００１２】
更に、傾斜部材の側面の少なくとも一部を覆うことが可能な仕切板を設けるようにすれば、収納箱に被搬送物を複数列並べて収納する場合に、既に収納した被搬送物の列を仕切板により押え、被搬送物の列が崩れることを防止することができると共に、被搬送物の列に仕切板を合わせることにより、傾斜部材の挿入位置を容易に合わせることができる。
【００１３】
加えて、支持部材が下方に移動することを停止する停止部材を備えるようにすれば、例えば、傾斜部材を水平の状態に維持することもでき、傾斜部材の後端部の側からのみならず、先端部の側からも被搬送物を移動させてくることができる。よって、状況に応じて使い分けることができ、利便性を高めることができる。
【図面の簡単な説明】
【００１４】
【図１】本発明の第一の実施の形態に係る箱詰め装置の構成を表す図である。
【図２】図１に示した箱詰め装置の動作を表わす図である。
【図３】図２に続く動作を表わす図である。
【図４】図３に続く動作を表わす図である。
【図５】図４に続く動作を表わす図である。
【図６】図１に示した箱詰め装置の変形例を表す図である。
【図７】図６に示した箱詰め装置の動作を表す図である。
【図８】図７に続く動作を表わす図である。
【図９】本発明の第二の実施の形態に係る箱詰め装置の構成を表す図である。
【図１０】図９に示した箱詰め装置の動作を表わす図である。
【図１１】図１０に続く動作を表わす図である。
【図１２】図１１に続く動作を表わす図である。
【図１３】図１２に続く動作を表わす図である。
【図１４】図９に示した箱詰め装置の変形例を表す図である。
【発明を実施するための形態】
【００１５】
以下、本発明の実施の形態について、図面を参照して詳細に説明する。
【００１６】
（第一の実施の形態）
図１は本発明の第一の実施の形態に係る箱詰め装置１０の構成を表すものである。この箱詰め装置１０は、被搬送物１１を収納箱１２に収納するためものであり、被搬送物１１を搬送するための傾斜部材１３と、この傾斜部材１３を長さ方向に移動可能に支持する支持部材１４と、斜め方向に上下することにより、支持部材１４を支点として傾斜部材１３の傾きを変えつつ、傾斜部材１３を長さ方向に移動させる移動部材１５とを備えている。
【００１７】
被搬送物１１は、略平板状のものであり、例えば、所定の形状を有する平面状の厚紙などで、これを組み立てることにより、商品の包装や収納をする包装箱になるものである。収納箱１２は、例えば、段ボールにより構成される。
【００１８】
傾斜部材１３は、例えば、被搬送物１１が搬送されてくるコンベヤー１６の終端に後端側が隣接するように配設されており、先端側がコンベヤー１６の伸長方向の下方に位置するように傾斜されている。傾斜部材１３は、例えば、被搬送物１１を滑らせて搬送するための搬送板１３Ａを有しており、搬送板１３Ａの両側には、被搬送物１１を案内するための一対のガイド部１３Ｂが搬送面から突出して設けられている。
【００１９】
搬送板１３Ａは、後端側に、他の部分よりも傾斜角度を小さくした中継部１３Ｃを有していることが好ましい。被搬送物１１をコンベヤー１６から傾斜部材１３に搬送する際に、滑らかに移動させることができるからである。なお、傾斜角度は、水平線に対する角度である。中継部１３Ｃの傾斜角度は、一定でもよく、連続的または断続的に小さくなるように変化していてもよい。傾斜部材１３の幅は、被搬送物１１の大きさに合わせて設定されており、例えば、被搬送物１１の大きさに合わせて搬送板１３Ａの幅または一対のガイド部１３Ｂの間隔を変化させることができるように構成されていることが好ましい。
【００２０】
傾斜部材１３の後端側には、例えば、移動部材１５の先端部が接合されており、この接合部よりも先端側に支持部材１４が配設されている。また、支持部材１４よりも先端側における傾斜部材１３の下方には、例えば、収納箱１３を載置するための載置台１７が配設されている。傾斜部材１３の先端側は、収納箱１２の底部近傍まで下がるように構成されていることが好ましい。
【００２１】
支持部材１４は、例えば、傾斜部材１３の幅方向に伸長して設けられた円柱状の支点部材１４Ａと、この支点部材１４Ａを支持する支柱１４Ｂとを有している。支点部材１４Ａの上には、傾斜部材１３の底部が当接して載置されており、支点部材１４Ａの外周面に沿って、傾斜部材１３の傾きを変化させることができるようになっている。支点部材１４Ａには、傾斜部材１３を安定して支持するために、傾斜部材１３を挟むように一対のリング状の係止部材１４Ｃが設けられている。係止部材１４Ｃの位置は、傾斜部材１３の幅に合わせて変化させることができるように構成されていることが好ましい。
【００２２】
支柱１４Ｂは、例えば、上下方向に移動可能に配設され、ばねなどの付勢部材１４Ｄにより、上方に付勢されていることが好ましい。傾斜部材１３の先端側を上方に持ち上げることができるので、例えば、傾斜部材１３を収納箱１２に挿入する際に、先端側を収納箱１２の底部から浮かせた状態で移動させることができ、収納箱１２の底部に組立による段差があっても、傾斜部材１３を収納箱１２に容易に挿入することができるからである。
【００２３】
移動部材１５は、例えば、垂直方向から先端部をコンベヤー１６の側、基端部を載置台１７の側に傾斜させたシリンダー１５Ａを有している。シリンダー１５Ａの先端部には、例えば、湾曲状の凹状部材１５Ｂが配設されており、傾斜部材１３の後端側底部に設けられた突出部１３Ｄと着脱可能に接合されていることが好ましい。作業の安全性を確保するためである。
【００２４】
図２から図５は、図１に示した箱詰め装置１０の動作を順に表わすものである。この箱詰め装置１０では、まず、例えば図１において破線で示したように、シリンダー１５Ａの先端部をコンベヤー１６の側の斜め上方に上げて、傾斜部材１３を長さ方向に斜め上方に移動させた状態で、載置台１７の上に空の収納箱１２を載置する。次いで、例えば図２に示したように、シリンダー１５Ａの先端部を載置台１７の側の斜め下方に下げて、傾斜部材１３を長さ方向に斜め下方に移動させ、傾斜部材１３の先端側を収納箱１２に挿入する。その際、傾斜部材１３は支点部材１４Ａを支点として傾斜角度が小さくなるように傾きが変化する。また、支点部材１４Ａは、付勢部材１４Ｄにより上方に付勢されているので、傾斜部材１３は支点部材１４Ａにかかる力に応じて上方に持ち上げられており、傾斜部材１３の先端側は収納箱１２の底部から浮いた状態で底部近傍まで移動する。
【００２５】
続いて、例えば図３に示したように、コンベヤー１６により搬送されてきた複数の被搬送物１１を作業員が立てた状態で束にして傾斜部材１３に沿って滑らせて収納箱１２の中に搬送する。その後、例えば図４に示したように、シリンダー１５Ａの先端部をコンベヤー１６の側の斜め上方に上げて、傾斜部材１３を長さ方向に斜め上方に移動させ、被搬送物１１を収納箱１２の中に滑らせながら先端側を収納箱から引き抜く。その際、傾斜部材１３は、支点部材１４Ａを支点として傾きが変化し、傾斜角度が大きくなるように弓なり状に移動する。これにより、被搬送物１１は、滑らかに収納箱１２の中に移動し、例えば図５に示したように、立てた状態で収納箱１２の中に収納される。
【００２６】
このように本実施の形態によれば、傾斜部材１３が移動部材１５により支持部材１４を支点として傾きを変えつつ長さ方向に移動可能としたので、移動部材１５を斜め下方に下げて傾斜部材１３の先端側を収納箱１２に挿入することにより、被搬送物１１を傾斜部材１３に沿って容易に収納箱１２に搬送することができる。また、移動部材１５を斜め上方に上げて傾斜部材１３の傾きを変えながら先端側を収納箱１２から引き抜くことにより、被搬送物１１を滑らせて収納箱１２に容易に収納することができる。よって、商品の包装や収納をする包装箱などを傷つけることなく簡易に箱詰めすることができる。
【００２７】
また、傾斜部材１３を付勢部材１４Ｄにより上方に付勢するようにすれば、傾斜部材１３の先端側を上方に持ち上げることができ、傾斜部材１３を収納箱１２に挿入する際に、先端側を収納箱１２の底部から浮かせた状態で移動させることができる。よって、収納箱１２の底部に組立による段差があっても、傾斜部材１３を収納箱１２に容易に挿入することができる。
【００２８】
（変形例）
図６から図８は、第一の実施の形態で説明した箱詰め装置１０の変形例を表わすものである。この箱詰め装置１０は、第一の実施の形態で説明した構成に加えて、傾斜部材１３の側面の少なくとも一部を覆うことが可能な仕切板１８を備えている。この仕切板１８は、例えば、収納箱１２に被搬送物１１を複数列並べて収納する場合に、既に収納した被搬送物１１を押さえて列が崩れることを防止すると共に、傾斜部材１３の挿入位置を決めるためのものである。仕切板１８は、例えば、支点部材１４Ａに対して回転可能に配設されており、傾斜部材１３の側面に沿って移動可能とされていることが好ましい。
【００２９】
この箱詰め装置１０では、上述したようにして収納箱１２の中に被搬送物１１を一列収納したのち、例えば図７に示したように、収納箱１２の位置を移動させて、収納箱１２の開いている部分を傾斜部材１３の先端に配置する。次いで、仕切板１８を移動させて収納した被搬送物１１の列を押さえると共に、傾斜部材１３を挿入する位置を合わせる。続いて、例えば図８に示したように、シリンダー１５Ａの先端部を斜め下方に下げて、傾斜部材１３の先端側を収納箱１２に挿入する。
【００３０】
このようにこの変形例によれば、傾斜部材１３の側面の少なくとも一部を覆うことが可能な仕切板１８を設けるようにしたので、収納箱１２に被搬送物１１を複数列並べて収納する場合に、既に収納した被搬送物１１の列を仕切板１８により押え、被搬送物１１の列が崩れることを防止することができると共に、被搬送物１１の列に仕切板１８を合わせることにより、傾斜部材１３の挿入位置を容易に合わせることができる。
【００３１】
（第二の実施の形態）
図９は本発明の第二の実施の形態に係る箱詰め装置２０の構成を表すものである。この箱詰め装置２０は、第一の実施の形態と同様に、被搬送物１１を収納箱１２に収納するためものであり、傾斜部材２３と支持部材１４と移動部材１５とを備えている。なお、第一の実施の形態と同一の構成要素には同一の符号を付すと共に、対応する構成要素には十の位を“２”に変えた符号を付し、同一部分についての詳細な説明は省略する。
【００３２】
傾斜部材２３は、例えば、先端側がコンベヤー１６の終端側に配置され、後端側が載置台１７を挟んで反対側に配置されている。搬送板２３Ａは、例えば、傾斜角度を小さくした中継部１３Ｃを有している必要はなく、平板状とされている。また、支持部材１４を上方に上げ、移動部材１５の先端部を下方に下げた時に、傾斜部材２３が水平となるように支持部材１４と移動部材１５の位置関係が調節されている。傾斜部材２３の他の構成は、第一の実施の形態と同様である。
【００３３】
また、この箱詰め装置２０は、例えば、傾斜部材２３とコンベヤー１６との間に、被搬送物１１をコンベヤー１６から傾斜部材２３に搬送するための板状の接続部材３１が設けられている。更に、この箱詰め装置２０は、支持部材１４を上方に上げた状態に維持して下方に移動することを停止する停止部材３２を備えており、傾斜部材２３を水平に維持できるようになっている。
【００３４】
図１０から図１３は、図９に示した箱詰め装置２０の動作を順に表わすものである。この箱詰め装置２０では、まず、例えば図１０に示したように、シリンダー１５Ａの先端部をコンベヤー１６と反対側の斜め上方に上げて、傾斜部材２３を長さ方向に斜め上方に移動させた状態で、載置台１７の上に空の収納箱１２を載置する。次いで、例えば、シリンダー１５Ａの先端部をコンベヤー１６の側の斜め下方に下げる。その際、支持部材１４は、停止部材３２により下方に移動することが停止されているので、傾斜部材２３は、支点部材１４Ａを支点として傾斜角度が小さくなるように傾きを変化させつつ長さ方向に移動し、水平状態となる。
【００３５】
次いで、例えば図１１に示したように、コンベヤー１６により搬送されてきた複数の被搬送物１１を作業員が立てた状態で束にして接続部材３１を介して傾斜部材２３に移動させる。続いて、例えば図１２に示したように、支持部材１４から停止部材３２を外すと、傾斜部材２３は、傾斜部材２３および被搬送物１１の重みにより先端側が下方に下がり、収納箱１２に挿入され、作業員が被搬送物１１を傾斜部材２３に沿って滑らせて収納箱１２の中に搬送する。
【００３６】
その後、例えば図１３に示したように、シリンダー１５Ａの先端部をコンベヤー１６と反対側の斜め上方に上げて、傾斜部材２３を長さ方向に斜め上方に移動させ、被搬送物１１を収納箱１２の中に滑らせながら先端側を収納箱から引き抜く。その際、傾斜部材２３は、第一の形態と同様に、支点部材１４Ａを支点として、傾斜角度が大きくなるように変化しながら弓なり状に移動する。これにより、被搬送物１１は、滑らかに収納箱１２の中に移動する。
【００３７】
このように本実施の形態によれば、支持部材１４が下方に移動することを停止する停止部材３２を備えるようにしたので、例えば、傾斜部材２３を水平の状態に維持することもでき、傾斜部材２３の後端部の側から被搬送物１１を搬送する第一の実施の形態とは異なり、先端部の側からも被搬送物１１を移動させてくることができる。よって、状況に応じて使い分けることができ、利便性を高めることができる。
【００３８】
（変形例）
第二の実施の形態についても、図１４に示したように、第一の実施の形態と同様に、仕切板１８を設けるようにしてもよい。
【００３９】
以上、実施の形態を挙げて本発明を説明したが、本発明は上記実施の形態に限定されるものではなく、種々変形可能である。例えば、上記実施の形態では、傾斜部材１３，２３、支持部材１４および移動部材１５の構成について具体的に説明したが、他の構成を有するようにしてもよい。また、載置台１７を上下に移動するようにすれば、被搬送物１１を複数段重ねて収納することもできる。
【産業上の利用可能性】
【００４０】
包装箱などの箱詰めに用いることができる。
【符号の説明】
【００４１】
１０，２０…箱詰め装置、１１…被搬送物、１２…収納箱、１３，２３…傾斜部材、１３Ａ，２３Ａ…搬送板、１３Ｂ…ガイド部、１３Ｃ…中継部、１３Ｄ…突出部、１４…支持部材、１４Ａ…支点部材、１４Ｂ…支柱、１４Ｃ…係止部材、１４Ｄ…付勢部材、１５…移動部材、１５Ａ…シリンダー、１５Ｂ…凹状部材、１６…コンベヤー、１７…載置台、１８…仕切板、３１…接続部材、３２…停止部材
【図１】
2010280405.tif 000003
【図２】
2010280405.tif 000004
【図３】
2010280405.tif 000005
【図４】
2010280405.tif 000006
【図５】
2010280405.tif 000007
【図６】
2010280405.tif 000008
【図７】
2010280405.tif 000009
【図８】
2010280405.tif 000010
【図９】
2010280405.tif 000011
【図１０】
2010280405.tif 000012
【図１１】
2010280405.tif 000013
【図１２】
2010280405.tif 000014
【図１３】
2010280405.tif 000015
【図１４】
2010280405.tif 000016